(57)【要約】      （修正有）【課題】使用感を更に高めた送風装置を提供する。【解決手段】本体ケースの下部から延びた電源線４００と、本体ケースを支持する支持台４０１とを備え、電源線４００は、一方側先端に本体側プラグ部４０４を有し、他方側先端にコンセント側プラグ部を備え、本体ケースの下部には、高圧空気発生装置２１１と電気的に接続されたプラグ装着部４０６を備え、支持台４０１は、中心軸が上下方向に延びた筒形状で、水平方向に貫通した孔部を有し、電源線４００は、孔部を介してプラグ装着部４０６に本体側プラグ部４０４が装着され、孔部は、本体側プラグ部４０４が通過する大きさで、コンセント側プラグ部が通過しない大きさであることにより、使用感を更に高める。【選択図】図８
2016183801.tif 000002
【特許請求の範囲】
【請求項１】
空気吸込口と空気吹出口を備えた本体ケースと、前記空気吸込口と前記空気吹出口とを連通する風路に設けられた高圧空気発生装置と、前記本体ケースの下部から延びた電源線と、前記本体ケースを支持する支持台とを備え、前記電源線は、電線部分と、前記電線部分の一方側先端に設けた本体側プラグ部と、前記電線部分の他方側先端に設けたコンセント側プラグ部とを備え、前記本体ケースの下部には、前記高圧空気発生装置と電気的に接続されたプラグ装着部を備え、前記支持台は、中心軸が上下方向に延びた筒形状で、水平方向に貫通した孔部を有し、前記電源線は、前記孔部を介して前記プラグ装着部に前記本体側プラグ部が装着され、前記孔部は、前記本体側プラグ部が通過する大きさで、前記コンセント側プラグ部が通過しない大きさであることを特徴とする送風装置。
【請求項２】
前記孔部の形状は、前記本体側プラグ部の前記本体側プラグ部における軸方向に対する垂直断面形状より一回り大きい形状であることを特徴とする請求項１に記載の送風装置。
【請求項３】
前記本体側プラグ部は、Ｌ字形状であることを特徴とする請求項２に記載の送風装置。
【請求項４】
前記孔部は、上下方向より左右方向が長い横長形状で、前記本体側プラグ部を水平に向け、前記本体側プラグ部を先端から前記孔部へ挿入し、更に水平面と平行に回転させながら挿入すると、前記本体側プラグ部が前記孔部を通過する形状であることを特徴とする請求項３に記載の送風装置。
【請求項５】
前記支持台は、円筒形状であることを特徴とする請求項４に記載の送風装置。
【発明の詳細な説明】
【技術分野】
【０００１】
本発明は、例えば、送風により清涼感を与えたり空間内の空気循環を促したりする送風装置に関するものである。
【背景技術】
【０００２】
従来から、羽根車を内包することで該羽根車への接触に対する不安感をなくしつつ、本体のコンパクト化を実現するとした送風装置が知られていた（例えば特許文献１参照）。
【０００３】
従来の送風装置は、空気吸込口と空気吹出口を備えた本体ケースと、空気吸込口と開口部とを連通する風路に設けられた高圧空気発生装置と、本体ケースを支持する支持台とを備えていた。
【先行技術文献】
【特許文献】
【０００４】
【特許文献１】特開２０１４−５７８７号公報
【発明の概要】
【発明が解決しようとする課題】
【０００５】
このような従来の送風装置における課題は、使用感を更に高めることであった。
【０００６】
すなわち、従来の物においては、通常、机の上などに支持台を置き、支持台の上で本体ケースを使用している。本体ケースは、支持台に置いているだけなので、本体ケースと支持台とを容易に分離できる。
【０００７】
そして、机の上を掃除する時には、本体ケースを支持台から外し、別の場所に移動させ、さらに支持台を机の上から別の場所に移動させた後に、机の上の掃除を行う場合がある。ここで、本体ケースと支持台とを異なる場所に置いてしまうと、支持台は、本体ケースに比べると小さいので、支持台をどこに置いたか見つけくい場合がある。
【０００８】
また、送風装置を片付ける場合に、本体ケースのみを片付け、支持台を片付け忘れ、支持台が無くなる場合がある。
【０００９】
そこで本発明は、本体ケースと支持台とを一体的にすることにより支持台が無くなる事を抑制し、使用感を更に高めることを目的とする。
【課題を解決するための手段】
【００１０】
上述の目的を達成するために、本発明は、空気吸込口と空気吹出口を備えた本体ケースと、前記空気吸込口と前記空気吹出口とを連通する風路に設けられた高圧空気発生装置と、前記本体ケースの下部から延びた電源線と、前記本体ケースを支持する支持台とを備え、前記電源線は、一方側先端に本体側プラグ部を有し、他方側先端にコンセント側プラグ部を備え、前記本体ケースの下部には、前記高圧空気発生装置と電気的に接続されたプラグ装着部を備え、前記支持台は、中心軸が上下方向に延びた筒形状で、水平方向に貫通した孔部を有し、前記電源線は、前記孔部を介して前記プラグ装着部に前記本体側プラグ部が装着され、前記孔部は、前記本体側プラグ部が通過する大きさで、前記コンセント側プラグ部が通過しない大きさであることを特徴とし、これにより所期の目的を達成するものである。
【発明の効果】
【００１１】
本発明に係る送風装置によれば、空気吸込口と空気吹出口を備えた本体ケースと、前記空気吸込口と前記空気吹出口とを連通する風路に設けられた高圧空気発生装置と、前記本体ケースの下部から延びた電源線と、前記本体ケースを支持する支持台とを備え、前記電源線は、一方側先端に本体側プラグ部を有し、他方側先端にコンセント側プラグ部を備え、前記本体ケースの下部には、前記高圧空気発生装置と電気的に接続されたプラグ装着部を備え、前記支持台は、中心軸が上下方向に延びた筒形状で、水平方向に貫通した孔部を有し、前記電源線は、前記孔部を介して前記プラグ装着部に前記本体側プラグ部が装着され、前記孔部は、前記本体側プラグ部が通過する大きさで、前記コンセント側プラグ部が通過しない大きさであることを特徴とし、これにより、使用感を更に高めることができる。
【００１２】
すなわち、支持台は、中心軸が上下方向に延びた筒形状で、水平方向に貫通した孔部を有している。電源線は、孔部を介してプラグ装着部に本体側プラグ部が装着される。これにより、本体ケースと支持台とは、電源線によって一体的になっており、本体ケースを移動させる場合には、本体ケースと支持台と電源線とを同時に移動することになる。更に、孔部は、本体側プラグ部が通過する大きさで、コンセント側プラグ部が通過しない大きさなので、コンセント側プラグ部を室内のコンセントから外し、本体ケースと電源線だけを移動させた場合に、コンセント側プラグ部は、孔部を通過できないので、電源線が容易に支持台から外れることを抑制でき、本体ケースと支持台と電源線とを同時に移動することになる。結果として、支持台が無くなる事を抑制し、使用感を更に高めることができる。
【図面の簡単な説明】
【００１３】
【図１】本発明の実施の形態１に係る送風装置の外観図
【図２】同送風装置の分解側面図
【図３】同送風装置の断面図
【図４】同送風装置の第一フレーム及び第一風路部材を送風側極から見た上面図
【図５】同送風装置の支持台の外観図
【図６】同送風装置を支持台に置いた外観図
【図７】同送風装置の支持台と電源線との外観図
【図８】同送風装置を支持台に置いた断面図
【図９】同送風装置の支持台と電源線との断面図
【図１０】同送風装置の支持台と電源線との断面図
【図１１】同送風装置の支持台と電源線との断面図
【図１２】同送風装置の支持台と電源線との外観図
【発明を実施するための形態】
【００１４】
（実施の形態１）
以下、添付図面を参照して、本発明の実施の形態につき説明し、本発明の理解に供する。
【００１５】
なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００１６】
以下、本発明の実施の形態１に係る送風装置について説明する。
【００１７】
図１は、本発明の実施の形態１に係る送風装置の外観図である。
【００１８】
図１に示すように本体ケース１は、略球体形状をなしており、球体の中心を仮想的に貫通する中心軸２を軸中心としている。
【００１９】
中心軸２は球体の送風側極３と、送風側極３に対向する吸込側極４とでそれぞれ点接している。なお、ここでいう略球体形状とは、一見して球体をなしているという意味であり、後述する開口部などにより一部球体表面の凹凸などで真球にならない点を考慮した表現である。つまり、真球とならない場合であっても一見して球体を成している場合には略球体形状に含まれる。
【００２０】
また、本体ケース１は、球体の両極（送風側極３、吸込側極４）と等距離の位置にて、中心軸２と垂直な切断面５で、略半球体状の第一フレーム６と、同じく略半球体状の第二フレーム７とに２等分されている。
【００２１】
第一フレーム６は、送風側極３を備え、中空形状を成しており、すなわち半球面構造を成す。また、第一フレーム６には、中心軸２に垂直な面で構成される円形の開口部９が送風側極３近傍に設けられている。なお、ここでいう近傍とは、厳密には送風側極３は球の周上にあるため、開口部９が属する平面上とは一致しないことによる表現である。従って、特に開口部９が送風側極３を含んでいるという表現としても差し支えない。さらに、第一フレーム６は、送風側極３を中心として中心軸２の周方向に等間隔に設けられた誘引空気吸込口８を複数個（本実施の形態１では６個）備えている。
【００２２】
誘引空気吸込口８は、同一径の円形を成しており、各円の中心は中心軸２を中心とした同一周上（中心軸２に垂直である同一断面上）に位置している。ただし、隣接する誘引空気吸込口８とは接触しておらず、すなわちそれぞれ独立することにより、内部空間に後述する複数の送風路を確保している。
【００２３】
開口部９は、その内部に誘引空気吸込口８と連通する誘引空気吹出口１０を備えているが、詳細は後述する。
【００２４】
第二フレーム７は、吸込側極４を備え、中空形状を成しており、すなわち半球面構造を成す。また、第二フレーム７は、吸込側極４の周囲に後述する空気吸込口を備えている。
【００２５】
図２は、本発明の実施の形態１に係る送風装置の分解側面図である。
【００２６】
図２に示すように、送風装置は、前述の第一フレーム６と第二フレーム７とで構成される略球体の本体の中空空間（内部）に、第一風路部材２０４、配置用空間２１６、第二風路部材２１２が第一フレーム６よりこの順で配置されており、この構成で送風装置用筐体を構成している。また、配置用空間２１６内に、高圧空気発生装置２１１を備えることで、送風装置として機能する。
【００２７】
第一風路部材２０４は、中心軸２に対して垂直の円形断面である誘引空気吹出口１０を備えた上部部材２０２と、当該上部部材２０２との間で中空状の内部空間を形成する下部部材２０３とで形成されている。また、下部部材２０３の壁面外側には、吸込側極４に向けて中心軸２と平行に、複数の支持部２１３（本実施の形態１では６個）が突設されている。ここで突設とは、突き出した状態で設けられていることをいう。
【００２８】
第二風路部材２１２には、前記複数の支持部２１３に対応する複数の当接部２１４（支持部と同数、本実施の形態では６個）が備えられている。また、当接部２１４は、第二風路部材２１２の送風側極３に向けて中心軸２と平行に突設されている。前記支持部２１３の先端部と当接部２１４の先端部とが当接することで、第一風路部材２０４と第二風路部材２１２との間で配置用空間２１６が形成される。ここでいう当接とは、突き当たった状態で接触することをいう。さらに、第二風路部材２１２には、吸込側極４に向けて中心軸２と平行に、中心軸２を中心とした円筒状の係合部２１５が突設されている。
【００２９】
第二フレーム７には、吸込側極４を中心としてその近傍に、空気吸込口２０１が多数のパンチング孔として設けられている。外部の空気は、空気吸込口２０１を介して略球体状の本体内部に吸引されるが、その仕組みについての詳細は後述する。
【００３０】
高圧空気発生装置２１１は、モータ２０６、基盤カバー２０７、基盤２０８、モータカバー２０９、羽根２１０により構成されている。また、高圧空気発生装置２１１は、前述の第一風路部材２０４に固定された、ゴムを素材とした弾性体からなる固定部２０５に固定することにより、前記配置用空間２１６内にて第一風路部材２０４の外壁側に固定される。
【００３１】
続いて、図３及び図４を用いて、送風装置における空気の流れを説明する。図３は、図２にて示した第一フレーム６、第一風路部材２０４、高圧空気発生装置２１１、第二風路部材２１２、第二フレーム７をこの順で配置することにより構成された送風装置を、中心軸２を含む平面で切断した際の断面図である。また、図４は、第一フレーム６及び第一風路部材２０４を、送風側極３側より見た上面図である。
【００３２】
図３において、送風側極３と吸込側極４とから等距離にある球の中心３０１近傍にモータ２０６が配置されており、当該モータ２０６の回転軸を回転させることにより、このモータ２０６の回転軸に接続された羽根２１０が中心軸２を軸に回転する。なお、このモータ２０６の動力源は、本体外部から引き込まれた後述する電源線より供給される電気、又は内蔵する電池から得られる電気等が該当する。
【００３３】
羽根２１０が回転すると、空気吸込口２０１より本体外からの空気が吸引される（送風経路３０３を参照）。吸引された空気は、オリフィスとしての機能を備えた第二風路部材２１２の、空気吸込口２０１側の開口部（空気吸込口側開口部３０２）を経て、配置用空間２１６内の羽根２１０内部（中心部）に流入する。流入した空気は、羽根２１０の送風構造に基づいてその中心軸２から外周方向に向きを変えて排出され、すなわち送風路としても機能する配置用空間２１６の円周外側方向に押し出される。
【００３４】
前記押し出された空気は、その押圧により、第一風路部材２０４の外壁（壁面外部）と第一フレーム６の内壁とで構成される送風路３０４を通過して開口部９に導かれる。ここで開口部９は、図４に示されるように、送風側極３を中心とした円形を成しており、前記第一風路部材２０４に備えられた誘引空気吹出口１０とその中心を同一に構成されている。また、誘引空気吹出口１０を構成する平面と開口部９を構成する平面とは略同一平面を構成している。ここで略同一平面とは、開口部９を構成する平面が誘引空気吹出口１０を構成する平面に比して球の中心３０１より例えば数ミリの誤差で、遠方にあり又は近接している状態を含むことを意味する。そして、開口部９の径は、誘引空気吹出口１０の径よりも大きく設計されており、開口部９と誘引空気吹出口１０の外壁との間の空間がすなわち前記送風路３０４に連通する円環状の空気吹出口３０７を構成している。結果として、空気吸込口２０１より吸引された空気は、羽根２１０の作用により、空気吹出口３０７から中心軸２と平行方向かつ中心３０１より遠ざかる方向に、環状の気流となって吹き出される。すなわち、本体ケース１は、空気吸込口２０１と空気吹出口３０７とを備え、空気吸込口２０１と空気吹出口３０７とを連通する風路に高圧空気発生装置２１１を設けている。
【００３５】
空気吹出口３０７より吹き出された環状の気流は、誘引効果によってその環状の内部の空気、すなわち誘引空気吹出口１０近傍の空気を同一方向に誘引する。この際、誘引空気吹出口１０に連通する複数の誘引空気吸込口８から空気が誘引され（送風経路３０６を参照）、誘引空気混合部３０５にて混合されて誘引空気吹出口１０に順次送り込まれる。
【００３６】
上述した、環状の気流と誘引空気とが開口部９付近で合成され、発散の少ないスポット風として、中心軸２方向より排出されるのである。
【００３７】
以上が本実施の形態１に係る送風装置の構成及び動作の概略である。
【００３８】
図５は、送風装置の支持台４０１の外観図である。図６は、送風装置を支持台４０１に置いた外観図である。図５、６に示すように、送風装置は、本体ケース１の下部である第二フレーム７から延びた電源線４００と、本体ケースを支持する支持台４０１とを備えている。電源線４００は、本体ケース１内の高圧空気発生装置２１１と電気的に接続されている。
【００３９】
本実施形態における特徴は、電源線４００と支持台４０１である。支持台４０１は、略球体形状の本体ケース１が、転がらないように支持する台である。
【００４０】
支持台４０１は、中心軸が上下方向に延びた筒形状で、水平方向に貫通した孔部４０２を有している。孔部４０２は、支持台４０１における下部に設けられている。
【００４１】
図７は、送風装置の支持台４０１と電源線４００との外観図である。図８は、送風装置を支持台４０１に置いた断面図である。図７、８に示すように、電源線４００は、電線部分４０３と、電線部分４０３の一方側先端に設けた本体側プラグ部４０４と、電線部分の他方側先端に設けたコンセント側プラグ部（図示せず）とを備えている。電線部分４０３は、表面に絶縁被覆部４０５と、内部に銅線部（図示せず）を備えている。送風装置は、本体ケース１の下部に、本体側プラグ部４０４を装着可能なプラグ装着部４０６を、設けている。プラグ装着部４０６は、電気的に高圧空気発生装置２１１と接続されている。電源線４００は、一方側先端の本体側プラグ部４０４が、孔部４０２を介してプラグ装着部４０６に装着され、他方側先端のコンセント側プラグ部（図示せず）が、室内のコンセントに接続される。
【００４２】
このように、支持台４０１は、中心軸が上下方向に延びた筒形状で、水平方向に貫通した孔部４０２を有している。電源線４００は、孔部４０２を介してプラグ装着部４０６に本体側プラグ部４０４が装着される。これにより、本体ケース１と支持台４０１とは、電源線４００によって一体的になっており、本体ケース１を移動させる場合には、本体ケース１と支持台４０１と電源線４００とを同時に移動することになる。
【００４３】
更に、孔部４０２は、本体側プラグ部４０４が通過する大きさで、コンセント側プラグ部（図示せず）が通過しない大きさである。具体的には、孔部４０２の形状は、本体側プラグ部４０４の本体側プラグ部４０４における軸方向に対する垂直断面形状より一回り大きい形状である。
【００４４】
これにより、コンセント側プラグ部を室内のコンセントから外し、本体ケース１と電源線４００だけを移動させようとした場合に、コンセント側プラグ部は、孔部４０２を通過できないので、電源線４００が容易に支持台４０１から外れることを抑制でき、本体ケース１と支持台４０１と電源線４００とを同時に移動することになる。結果として、支持台が無くなる事を抑制し、使用感を更に高めることができる。
【００４５】
また、本体側プラグ部４０４は、Ｌ字形状である。このように、本体側プラグ部４０４をＬ字形状にすると、本体ケース１を移動させるときに、本体ケース１のプラグ装着部４０６から本体側プラグ部４０４を外し、電源線４００を引っ張った場合にも、本体側プラグ部４０４におけるＬ字形状の先端部分が、孔部４０２の周縁部に引っ掛かり、容易に抜けない。
【００４６】
これにより、電源線４００と支持台４０１とは一体的になっており、電源線４００と支持台４０１とが分離する場合に比べ、支持台４０１が無くなる事を抑制できる。
【００４７】
本体側プラグ部４０４は、電線部分４０３の一方側先端に設けた根元側樹脂部分４０７と、この根元側樹脂部分４０７の先端に根元側樹脂部分４０７に対して直角方向に延びた先端側樹脂部分４０８と、この先端側樹脂部分４０８の先端から更に先端側樹脂部分４０８と同軸方向に延びた金属部分４０９とを備える。
【００４８】
根元側樹脂部分４０７は、樹脂で成形された四角柱形状で、内部には銅線部を備えている。先端側樹脂部分４０８は、樹脂で成形された円柱形状で、内部には金属部分の一部と、銅線部とを備えている。銅線部と金属部分４０９とは電気的に接続されている。金属部分４０９は、円筒形状の金属で、この部分が、プラグ装着部４０６内に挿入される。
【００４９】
根元側樹脂部分４０７の先端面４１０は、円弧形状の曲面である。この曲面は、四角柱形状の根元側樹脂部分において対向する面と面とを繋ぐ面である。この先端面４１０の延長上に、先端側樹脂部分４０８の円柱の側面を連続して配置している。根元側樹脂部分４０７の四角柱形状の幅寸法は、先端側樹脂部分４０８の円柱形状の直径と同じ寸法であり、根元側樹脂部分４０７の曲面と、先端側樹脂部分４０８の円柱の側面とは、同一面である。
【００５０】
次に、孔部４０２に本体側プラグ部４０４を通す方法について説明する。
【００５１】
図９は、送風装置の支持台４０１と電源線４００との断面図である。図９は、上から見た水平断面図で、先端側樹脂部分４０８を孔部４０２に更に挿入した状態である。図１０は、送風装置の支持台４０１と電源線４００との断面図である。図１０は、上から見た水平断面図で、先端側樹脂部分４０８を孔部４０２に更に挿入し、４５度回転させた状態である。図１１は、送風装置の支持台４０１と電源線４００との断面図である。図１１は、上から見た水平断面図で、先端側樹脂部分４０８を孔部４０２に更に挿入し、９０度回転させた状態である。
【００５２】
孔部４０２は、上下方向より左右方向が長い横長形状なので、図９に示すように、本体側プラグ部４０４を水平に向け、本体側プラグ部４０４を先端から孔部４０２へ挿入する。次に、図１０に示すように、更に水平面と平行に回転させながら挿入すると、図１１に示すように、本体側プラグ部４０４が孔部４０２を通過する形状である。
【００５３】
これにより、本体ケース１のプラグ装着部４０６から本体側プラグ部４０４を外し、電源線４００を引っ張った場合にも、電源線４００を引っ張っただけでは、本体側プラグ部４０４は回転し難く、本体側プラグ部４０４におけるＬ字形状の先端部分が、孔部４０２の周縁部に引っ掛かるので、容易に抜けない。結果として、電源線４００と支持台４０１とは一体的になっており、電源線４００と支持台４０１とが分離する場合に比べ、支持台４０１が無くなるのを抑制できる。
【００５４】
この点について詳しく説明すると、図９に示すように、支持台４０１の孔部４０２に本体側プラグ部４０４を挿入する場合には、まず、孔部４０２の中心軸に円筒形状の金属部分４０９の中心軸をあわせると共に、根元側樹脂部分４０７が水平方向に延びるようにあわせて、金属部分４０９を孔部４０２の中心軸方向に挿入する。次に、孔部４０２の中心軸に円柱形状の先端側樹脂部分４０８の中心軸をあわせて、先端側樹脂部分４０８を孔部４０２に更に挿入する。この先端側樹脂部分４０８を通過させる途中で、本体側プラグ部４０４がＬ字形状なので、支持台４０１の外周面に根元側樹脂部分４０７の外面が接触する。
【００５５】
ここで、図１０に示すように、先端側樹脂部分４０８と根元側樹脂部分４０７との境目４１１を、孔部４０２の周縁部に押し付け、金属部分４０９が支持台内に入ると共に、支持台４０１の外周面から根元側樹脂部分４０７の外面が離れるように矢印の向きに回転させる。先端側樹脂部分４０８と根元側樹脂部分４０７との境目４１１が、このときの回転中心となり、この回転中心は、上下方向に延びている。４５度回転させたときに、孔部４０２を通過する本体側プラグ部４０４の断面形状が最も大きくなる。この時に、孔部４０２の周縁部と本体側プラグ部４０４の外面とが、わずかに隙間を有するか、または接する状態となる。
【００５６】
ここから、更に４５度回転させると、図１１に示すように、四角柱形状の根元側樹脂部分４０７における中心軸が、孔部４０２の中心軸と一致する。この状態で、中心軸方向に本体側プラグ部４０４を挿入すると、本体側プラグ部４０４が、孔部４０２を介して支持台４０１内に入る。
【００５７】
このように、本体側プラグ部４０４を挿入できる孔部４０２の形状を、上下方向より左右方向が長い横長形状で、本体側プラグ部４０４を水平に向け、本体側プラグ部４０４を先端から孔部４０２へ挿入する。更に水平面と平行に回転させながら挿入すると、本体側プラグ部４０４が孔部４０２を通過する形状である。
【００５８】
これにより、本体ケース１のプラグ装着部４０６から本体側プラグ部４０４を外し、電源線４００を引っ張った場合にも、電源線４００を引っ張っただけでは、本体側プラグ部４０４は回転し難く、本体側プラグ部４０４におけるＬ字形状の先端部分が、孔部４０２の周縁部に引っ掛かり、容易に抜けない。結果として、電源線４００と支持台４０１とは一体的になっており、電源線４００と支持台４０１とが分離する場合に比べ、支持台４０１が無くなる事を抑制できる。
【００５９】
図１２は、送風装置の支持台と電源線との外観図である。
【００６０】
支持台４０１は、円筒形状である。これにより、本体ケース１のプラグ装着部４０６から本体側プラグ部４０４を外し、電源線４００を引っ張った場合にも、本体側プラグ部４０４におけるＬ字形状の先端部分である先端側樹脂部分４０８が、円筒形状の支持台４０１の内面に沿って移動し、図１２に示すように、上方向に向き易くなる。
【００６１】
すなわち、本体ケース１のプラグ装着部４０６から本体側プラグ部４０４を外し、電源線４００を引っ張った場合にも、先端側樹脂部分４０８が水平になり難く、孔部４０２の周縁部に引っ掛かり、容易に抜けない。結果として、電源線４００と支持台４０１とは一体的になっており、電源線４００と支持台４０１とが分離する場合に比べ、支持台４０１が無くなることを抑制できる。
【産業上の利用可能性】
【００６２】
送風により清涼感を与えたり空間内の空気循環を促したりする送風装置として有用である。
【符号の説明】
【００６３】
１  本体ケース
２  中心軸
３  送風側極
４  吸込側極
５  切断面
６  第一フレーム
７  第二フレーム
８  誘引空気吸込口
９  開口部
１０  誘引空気吹出口
２０１  空気吸込口
２０４  第一風路部材
２１１  高圧空気発生装置
２１２  第二風路部材
２１３  支持部
２１４  当接部
２１５  係合部
２１６  配置用空間
３０５  誘引空気混合部
３０７  空気吹出口
４００  電源線
４０１  支持台
４０２  孔部
４０３  電線部分
４０４  本体側プラグ部
４０５  絶縁被覆部
４０６  プラグ装着部
４０７  根元側樹脂部分
４０８  先端側樹脂部分
４０９  金属部分
４１０  先端面
４１１  境目
【図１】
2016183801.tif 000003
【図２】
2016183801.tif 000004
【図３】
2016183801.tif 000005
【図４】
2016183801.tif 000006
【図５】
2016183801.tif 000007
【図６】
2016183801.tif 000008
【図７】
2016183801.tif 000009
【図８】
2016183801.tif 000010
【図９】
2016183801.tif 000011
【図１０】
2016183801.tif 000012
【図１１】
2016183801.tif 000013
【図１２】
2016183801.tif 000014